(57)【要約】      （修正有）【課題】バックスイングのトップにおいては周囲でのクラブの不必要な回転を防止するため、平表面は、正確にクラブを最適なスイングプレーンに沿って導く動きをする練習装置を提供する。【解決手段】ゴルフ練習補助装置（２０）は、使用時に水平と所定角度をなして傾斜した又は傾斜可能な円形輪（２２）を備えている。平表面（４４）は、輪の上端（４２）面から外方向に延び、輪（２２）の平面と平行に規定される。ゴルフ練習補助装置（２０）は、クラブと組合わせて使用可能で、ゴルファーのスウィングを改善するのを補助する。【選択図】図３
2007007441.tif 000002
【特許請求の範囲】
【請求項１】
使用時に水平と所定角度をなして傾斜した又は傾斜可能な円形輪と、
輪の平面と平行で輪の上端面から限られた所定の円周領域分外方向に延びる平表面を規定する手段と、
を備えることを特徴とするゴルフ練習補助装置。
【請求項２】
平表面は、輪の頂部を中心に約１２０°延びることを特徴とする請求項１のゴルフ練習補助装置。
【請求項３】
平表面は、輪の頂部を中心に約９０°延びることを特徴とする請求項２のゴルフ練習補助装置。
【請求項４】
平表面は、輪と直交する中心線に対して左右対称に配置されることを特徴とする請求項１、２、又は３のゴルフ練習補助装置。
【請求項５】
輪は、少なくとも部分的に断面円形であることを特徴とする既出の請求項のゴルフ練習補助装置。
【請求項６】
平表面の半径方向奥行き長さは、その両端から増加することを特徴とする既出の請求項のゴルフ練習補助装置。
【請求項７】
平表面の両端での奥行き長さは０であり、輪の中心線付近で奥行き長さが最大になることを特徴とする請求項６のゴルフ練習補助装置。
【請求項８】
平表面は三日月形であることを特徴とする請求項６又は７のゴルフ練習補助装置。
【請求項９】
平表面は、表面の半径方向内側と外側との共通平面の間に規定されることを特徴とする既出の請求項のゴルフ練習補助装置。
【請求項１０】
平表面が切れ目のないことを特徴とする請求項１〜８のいずれかのゴルフ練習補助装置。
【請求項１１】
平表面は、輪と一体の部分として形成されていることを特徴とする請求項１０のゴルフ練習補助装置。
【請求項１２】
平表面は、輪に取付けられる部品として形成されていることを特徴とする請求項１０のゴルフ練習補助装置。
【請求項１３】
輪の傾斜角は変更可能であることを特徴とする既出の請求項のゴルフ練習補助装置。
【請求項１４】
輪は、下方端で回動可能に取付けられることを特徴とする請求項１３のゴルフ練習補助装置。
【請求項１５】
輪が取付けられ、ユーザが立つ表面を有する基台からなることを特徴とする既出の請求項のゴルフ練習補助装置。
【請求項１６】
クラブと組合わせたことを特徴とする既出の請求項のゴルフ練習補助装置からなることを特徴とするゴルフ練習装置。
【請求項１７】
輪表面及び／又はクラブは、ＰＴＦＥ等の低摩擦の被覆が設けられることを特徴とする請求項１６のゴルフ練習装置。
【請求項１８】
クラブには、クラブシャフトの周囲に低摩擦スリーブが設けられることを特徴とする請求項１７のゴルフ練習装置。
【請求項１９】
スリーブは、クラブシャフト上に回転可能に取付けられることを特徴とする請求項１６〜１８のいずれかのゴルフ練習装置。
【請求項２０】
クラブの回転表面は、輪上でのスリーブの回転を促進する材料からなることを特徴とする請求項１９のゴルフ練習装置。
【請求項２１】
スリーブは、回転材料の外装が設けられた金属管からなることを特徴とする請求項１９又は２０のゴルフ練習装置。
【請求項２２】
クラブは、クラブシャフトの軸方向に沿って、半径方向の外側に延びる、少なくとも１つの、好ましくは２つの平表面を有することを特徴とする請求項１９〜２１のいずれかのゴルフ練習装置。
【請求項２３】
一対の平行な平表面を有することを特徴とする請求項２２のゴルフ練習装置。
【請求項２４】
前記表面はクラブシャフトと一体のフィン又はクラブシャフトに取付けられたフィン上に設けられることを特徴とする請求項２２のゴルフ練習装置。
【請求項２５】
フィンは、回転スリーブが取付けられたクラブの固定されたシャフトに取付けられていることを特徴とする請求項２４のゴルフ練習装置。
【発明の詳細な説明】
【技術分野】
【０００１】
本発明は、ゴルフ練習用クラブおよびクラブに関する。
【背景技術】
【０００２】
スウィングは、ゴルファーのゲームの最も重要部分でないとしても、間違いなくなく、重要な要素の一つである。スウィングはゴルファーの手、手首、腕、及び身体の動きの複雑な組合わせであり、適切に実行されないとボールを打ち損なう可能性がある。
【０００３】
殆どのゴルファーは、実際の経験による方法で、例えば練習用ボールをドライビング・レンジで打つことによってスウィングを練習する。この方法では、ゴルファーはなぜボールを打ち損じたか、又は欠点を直すことが可能かを必ずしも知ることができないので、スウィングを上達させるには不十分である。また、ボールをうまく打ったとき、そのショットを確実に繰り返すことは容易ではない。
【発明の開示】
【０００４】
本発明は、ゴルフ練習装置に係り、特にスウィングを改善する際、ゴルファーを補助するゴルフ練習装置に係る。
【０００５】
内側にゴルファーが立つ傾斜した輪の形状をとる練習装置が提案されている。ゴルファーはクラブをこの輪上に置き、クラブを輪に接触させてスウィングする。クラブがスウィングされたとき、クラブは、少なくとも輪の接触する点では輪によって与えられた平面内で移動させられる。
【０００６】
これは、ゴルファーが容易に一定のスウィングを再現できる点で、スウィングを改善する方法かも知れないが、特に重要なスウィングの領域、即ちバックスウィングのトップをアドレスしていないことにより、十分に満足な練習装置ではない。
【０００７】
出願人は最適なスウィングプレーン内でスウィングがされるとき、最適なスウィングが達成されることを認識している。このスウィングプレーンは、通常、ゴルファーの上胸骨を通って、ヒッティングポイントでのボールに延長する平面である。特に出願人が認識していることは、ボール、ゴルファーの上胸骨、クラブの柄、及びクラブヘッドの“スウィートスポット”（ボールと最適に接触するクラブヘッドの部分）は、バックスウィングのトップのとき及びフォロースルーでも、全て最適な平面内にあるべきである、ということである。
【０００８】
上述の輪の練習装置は、スウィングの上達にゴルファーをある程度補助するとしても、クラブのシャフトが輪の接触表面の周囲を回転することにより、クラブのヘッド及び柄は最適なスウィングプレーン外に位置するので、バックスウィングのトップ、又はフォロースルーでのスウィングを矯正しない。
【０００９】
本発明はこの問題を解決をするため、第一の見地から、使用時に水平と所定角度をなして傾斜した又は傾斜可能な円形輪と、輪の平面と平行で輪の上端面から外方向に延びる平表面を規定する手段と、からなるゴルフ練習装置を提供する。
【００１０】
従って本発明によると、平表面は、輪の上方端の周囲に輪の平面と平行に規定される。バックスウィングのトップにおいて輪周囲でのクラブの不必要な回転を防止するため、該平表面は、従来の装置よりも正確にクラブを最適なスウィングプレーンに沿って導く働きをする。
【００１１】
従って更に広い見地から、本発明は、使用時に水平と所定角度をなし、クラブが輪を超えてスウィングされる、傾斜した又は傾斜可能な輪からなるゴルフ練習補助装置であって、前記輪はクラブをスウィングのトップで一定の平面内でクラブを動かす為の案内手段を有するゴルフ練習補助装置を提供する。
【００１２】
該平表面は、輪の限られた円周領域だけ延びる。この理由は、最適なスウィングプレーンからのクラブの回転はスウィングの下方部は許容量が大きいので、該表面は輪の頂部でのみ実際に必要とされるからである。実際に、このことは、ゴルファーに、より自然なスウィングを上達させるのに望ましい。
【００１３】
従って、代表的には平表面は約１２０°、又は１２０°未満で延び、更に好ましくは、輪の頂部を中心に約９０°延びるのがよい。好ましくは、該表面は、輪と直交する中心線に対して左右対称に配置される。
【００１４】
平表面が輪の平面と平行な輪の接触表面から接線方向に延長され、輪は好ましくは弓形で、最も好ましくは断面円形である。輪は必ずしも断面円形である必要はないが、クラブと当接するための弓形表面を有することが望ましい。例えば、接触表面は半円形の面でもよい。
【００１５】
クラブを十分に導くのに必要な距離だけ、平表面は輪から外方向に延長する必要がある。このことは実験的に決まるが、直径６フィート（１．８ｍ）の輪の場合、平表面は通常、約１８インチ（０．５ｍ）最大距離延長する。従来のクラブと共に用いられる場合は、平表面は、そこまですべきではないし、クラブのヘッドと干渉することにより、クラブヘッドが平面外に移動する。
【００１６】
好ましくは、平表面の半径方向奥行き長さは、その両端から増加する。好ましい実施の形態において、平表面の両端での奥行き長さは０であり、表面上でクラブが滑らかに動くことが可能である。最も好ましくは、輪の中心線付近で奥行き長さが最大になり、表面は周囲に左右対称となる。
【００１７】
最も好ましい実施の形態において、表面の外周が湾曲することにより、三日月形に近くなる。
【００１８】
例えば、平表面は、表面の半径方向内側と外側との共通平面の間に規定され、該平表面は、例えば輪、及び輪の頂点を中心に延長されるレールによって構成される。クラブが規定の表面の間に落ちるかもしれないことは、この装置の潜在的な不利益であり、平表面が殆ど切れ目のないことが望ましい。
【００１９】
従って、表面は、輪と一体の部分として形成されている。例えば、表面はプラスチックの輪と一体モールドで形成され、又は、例えば溶接等の最適な固定手段によって固定したり、又は着脱自在に輪に取付けられる別部品として形成されている。
【００２０】
上述のように、使用時、輪は水平に対して傾斜される。好ましくは、輪の傾斜角は変更可能であり、各ユーザにとって最適なスウィングプレーンが設定されるようになっている。傾斜角の変更は、いくつかの最適な方法により達成される。例えば、輪の対向側にそれぞれ支持材が取付けられ、輪の水平方向の中心線を中心に回動可能である。しかし、好ましくは、輪は下方端で回動可能に取付けられ、輪の下方端は通常地面に対して固定位置の状態に維持される。
【００２１】
輪の傾斜は手動で行われ、例えば、適切な固定手段を緩め、手動で輪を回転する。しかし、他の態様として、適切なピストン装置によって、空気圧又は油圧で傾きを変化させることが可能である。簡易な実施の形態として、油圧機構は足で操作される。
【００２２】
輪は、ユーザが適切に立つ表面を有する基台上に取付けられ、例えば、基台はゴルフティに似せたアストロ芝に覆われる。また、基台は、輪を傾斜するための何れかの動力機構を収容する働きをする。
【００２３】
理想的には、輪の傾斜は個人別に、例えば、輪の片側に立つことができるコーチによって設定されるべきであり、ユーザにとって最適なスウィングプレーン内に輪を配置するべきである。しかし、この平面はユーザによって変化し、必ずしも個人別に正確で必要な傾斜を設定することはできない。この場合において、例えば、複数の予め設定された傾斜調節点が輪に設けられ、特にユーザに固有の、例えば身長や腕の長さに基づく傾斜が実験により決定され、本装置によって適切に表示される。これにより、ユーザによって実験的に決定された値に傾斜を設定することができる。
【００２４】
上述の装置は、例えば簡易なゴルフクラブと共に使用される。しかし、クラブが輪表面上を滑動するときは、クラブが損傷する原因となるので望ましくない。この問題を解消するため、輪及び／又はクラブは、ＰＴＦＥ等の低摩擦の被覆が設けられる。また、クラブは、例えばＰＴＦＥ等のプラスチック製で低摩擦のスリーブが設けられ、該スリーブはクラブシャフトを覆って適合する。
【００２５】
しかし、好ましくは、通常の練習用クラブは、プレー用クラブの損傷を防止するための装置と共に使用される。例えば、練習用クラブは、単にグリップを有し周囲に取り付けられた摩擦を減少するスリーブを含むシャフトからなる。
【００２６】
従って、広い言い方で、本発明はまた、傾斜した輪を超えるスウィングにおいて使用されるクラブであって、クラブのシャフト上に設けられた輪との摩擦を減少する手段を有するクラブを提供する。
【００２７】
好ましくは、スリーブはクラブシャフト上に回転可能に取付けられ、クラブが輪上を動くとき、スリーブはシャフトの周囲を回転できる。これにより、クラブは輪の上を滑動するよりむしろ回転する。このことは、使用時、輪との摩擦を大幅に減少する働きをし、より満足なスウィングがなされる。これは、新規な装置そのものであり、更なる見地から、本発明は、一端にグリップを有するシャフトと、該シャフトの周囲に回転可能に取付けられるスリーブとからなるゴルフ練習クラブを提供する。
【００２８】
好ましくは、ボールベアリング、又はローラベアリング等の回転ベアリングがシャフトとスリーブとの間の適切な位置に設けられる。簡易な実施の形態において、ベアリングはスリーブの各端に設けられ、必要ならば、追加のベアリングが、スリーブに沿った中間位置に設けられる。
【００２９】
好ましくは、スリーブは、輪上での該スリーブの回転を促進する表面を有し、例えば、表面はゴム等の弾性材料から作られる。スリーブは、全体が上記材料から作られるが、好ましくは、例えば、適切な外装を設けたスチール管等の金属からなる。金属を使用することは、スリーブに剛性を与え、クラブに重さを追加することにおいて有益である。
【００３０】
このことは、クラブを通常のクラブより十分に重くできることにおいて重要である。これにより、ゴルファーのスウィングを上達させることとは別に、ゴルファーの運動となることにおいて、潜在的な利益がある。特に、本発明に係る装置は、ユーザが身体の適切な場所での“ゴルフのための”筋力を増強し、筋肉を柔軟にするだけでなく、心血管系の機能向上を提供することができる。
【００３１】
本発明に係る装置に使用される練習用クラブは、上腕の回転を制限し、バックスウィングのトップ及びフォロースルーで、手首を最適平面内でヒンジ回転する手段も設けられる。このことは、手、手首、上腕、及び身体の運動を最適に組合わせるのに有用である。
【００３２】
好ましくは、制限する手段は、クラブ上に設けられた平表面からなり、該クラブは、バックスウィングのトップ、好ましくはフォロースルーで輪から延長される平表面と当接される。従って、クラブは制限された二面即ち、一つはバックスウィングのため、一つはフォロースルーのための面からなることが最も好ましい。これ自体新しい装置で、更なる見地から、本発明は、一端にグリップを有するシャフトからなるゴルフ練習用クラブであって、前記シャフトは、少なくとも１つの好ましくは２つの軸方向に延長する平表面を有し、該平表面は、シャフトの長さ部分に取付けられ、又は設けられることを特徴とするゴルフ練習用クラブを提供する。
【００３３】
これらの表面はクラブと一体のフィン又はクラブに取付けらたフィン上に有利に設けられ、フィンはシャフトに対して回転しないようになっている。例えば、フィンはシャフト上にモールドで形つくられる。
【００３４】
好ましくは、クラブ上の平表面は互いに平行に配置され、通常輪と係合する円形弓形部の先端でつながる。
【００３５】
フィンは低摩擦材料で製造され被覆されるが、“フィンを有する”クラブは、上述の回転スリーブ装置と組合わされることが好ましい。これにより、特に好ましい装置において、フィンは、回転スリーブが取付けられたクラブの固定されたシャフトに取付けられている。
【００３６】
また、本発明は上述の輪装置と練習用クラブとの組合わせが望ましい。
【００３７】
図１、２に於いて、図１はボール４をアドレスしているゴルファー２を示す。ボールを正確にアドレスしたとき、ゴルファーの足６はターゲットライン（ボール４とターゲットとを結ぶライン）と平行に向けられるべきである。平面８は、ターゲットライン、ボール４、ゴルファーの上胸骨１０を通って延長される。これがゴルファーにとって最適なスウィングプレーンであるとされる。図２に示すように、ゴルファーがバックスウィングのトップ位置のとき、理想的にはフォロースルーのとき、ゴルファーの胸骨１０、ゴルフクラブ１３の柄１２、及びクラブヘッドのスウィートスポット１４が全て平面８内にあるべきとされる。
【００３８】
上記課題を解決するための本発明のゴルフ練習装置は、図３、４に示される。本ゴルフ練習装置２０は、下方端２４で基台２６に軸支されて取付けられる輪２２からなり、該輪２２は、形が円形で、通常直径６フィート（１．８３メートル）である。本実施の形態において、輪２２は直径３インチ（７５ミリメートル）のスチール管から成る。しかし、輪は他の材料から成ることもあり、必ずしも中空である必要はない。例えば、軽量輪はプラスチックや他の類似した材料から製造することが可能である。
【００３９】
輪２２は、下方端２４にブラケット２８が設けられる。ブラケット２８は、フットレバー３０によって操作可能な基台２６内の油圧手段（図示せず）に取付けられ、これにより、ブラケット２８は、図４の矢印Ａによって示される方向に回動されることにより、輪２２の傾きを水平から変更できる。基台２６上には、アストロ芝の表面３２、又は芝表面に似せたものが設けられる。
【００４０】
輪２２の上端にフィン４０が取付けられる。本実施の形態において、フィン４０は、例えば溶接によって、輪２２の上端４２の周囲に適切に取付けられる別の部材である。図３から分かるように、フィン４０は、通常三日月形であり、輪２２の上端を中心に約１２０°左右対称に延びる。
【００４１】
図４から最も明らかに分かるように、フィン４０は、輪２２の最上表面４６と同一平面にあり、輪２２の軸線４８と平行に延びる上表面４４を有する。従って、表面４４は、輪の上方端４２を中心とした輪の上表面４６の延長平面を効果的に構成する。
【００４２】
以下、より詳細に記述されるように、使用時ゴルファーは輪２２の中に立ち、クラブを輪２２の表面４６に置き、表面４６と接触させてクラブをスウィングする。これにより、クラブシャフトは輪２２の表面４６に沿って案内される。更に、クラブ１３がバックスウィングのトップ、又はフォロースルーの時、クラブ１３がフィン４０の表面４４に当接し、クラブの柄、スウィートスポット及び上胸骨は、輪２２の平面と平行な平面５０内に位置するようになる。このように、クラブは、スウィングの重要部でスウィングプレーン内に維持される。各個人は独自のスウィングスタイルをとるので、上述のように維持されることはスウィングの他の部分では必要ない。該スウィングスタイルは、クラブがバックスウィングのトップから打撃点に向かって下降する時に、表面４６に対してクラブシャフトの角度を変化させることが実際に望ましいとされる。
【００４３】
従来のクラブを上述の練習装置に使用することは可能であるが、上述の練習装置に合った練習用クラブを使用することが望ましい。このようなクラブの第１の実施の形態は、図５に示される。
【００４４】
このクラブ６０は、基端に設けられたグリップ６４を有するシャフト６２と、先端に向かう長さの大部分にわたって周囲に設けられたゴムスリーブ６６とからなる。スリーブ６６は、両端６８、７０で、ベアリング（図示せず）によって、シャフト６２上に回転可能に取付けられることにより、該スリーブは、シャフト６２の表面上を効果的に回転する。固形ゴムのスリーブが示されるが、実際には、このスリーブは、例えば、ゴムコーティングされたスチールのスリーブ７２（図６で点線で示される）等の金属から構成される。このように構成することにより、クラブに剛性を付加し、ベアリングの取付を容易にし、練習用クラブに重量を与えることができる。
【００４５】
練習用クラブのゴム表面、及びベアリング装備のおかげで、クラブ６０が輪２２の表面４６と接触して置かれ、輪２２の周囲をスウィングされるとき、滑動するよりむしろ輪の表面４６上を回転することが分かる。これにより、よりスムーズな動作がなされ、輪の表面４６を破損する可能性を減らす。
【００４６】
練習用クラブ６０は、標準クラブより重いほうが望ましい。これは練習装置のユーザが心血管系の利益を得るだけでなく、スウィングのために必要な部分の筋肉を増強する運動が効果的にできるようにするためである。
【００４７】
本発明で使用するのに適したクラブの第２の実施の形態は、図７、８に示される。本実施の形態において、クラブ８０は、先端８４にグリップ８６を備えるシャフト８２からなる。略雫形のスリーブ９０は、シャフト８２の先端９２まで被覆される。スリーブ９０は、別部品で適切にシャフト８２に取付けられてもよい。例えば、スリーブ９０はシャフト８２と一体的に形つくられてもよいし、シャフト８２にインサートモールディングで形成してもよい。
【００４８】
従って、スリーブ９０は好ましくはプラスチックであり、ＰＴＦＥ等の低摩擦のプラスチックが最も好ましく、使用時に輪２２による摩擦を減少するようにしている。
【００４９】
図８から最も良く分かるように、スリーブ９０は、互いに平行で、スリーブ９０の半円形のノーズ９８から接線方向に延びる２つの平表面９４、９６からなる。ボールをアドレスするとき、スリーブ９０のトレイル端９９はゴルファーの身体と対向して向けるべきである。
【００５０】
平表面９４、９６を使用することによる利益は、ゴルファーがバックスウィングのトップに近づくとき、表面９４がフィン４０上の平表面４４に接触することである。これにより、クラブ８０がバックスウィングの上方に位置するときを聞き取ることができる。更に、フィン４０に対してクラブシャフトが更に回転することを防止することで、最適なスウィングのための正しい位置にユーザの前腕を維持するようにする。
【００５１】
ストローク、フォロースルーがされた後、スリーブ９０の反対面９６は、ゴルファーの前腕の過剰回転を防止するためフィン４０に再び接触する。
【００５２】
図３、４の練習装置に使用される練習用クラブの第３の実施の形態は、図９、１０に開示される。本実施の形態のクラブ１００は、図５〜８のクラブの組合わせである。特に、クラブ１００は、基端に設けられたグリップ１０４を有するシャフト１０２からなる。平行な平表面１０８、１１０を有するフィン１０６は、それぞれの端１１２、１１４でシャフト１０２に固定して取付けられる。従って、シャフト１０２とフィン１０６の間で相対的な動きはない。しかし、図５、６の実施の形態と同様に、回転スリーブ１１６もまたシャフト１０２上に取付けられる。従って、スリーブ１１６は、シャフト１０２上を回転することができ、使用時、クラブは輪の表面４６上を回転することができると同時に、フィン表面１０８、１１０は、バックスウィングのトップ及びフォロースルーでもフィン表面４４と接触する。
【００５３】
図１１、１２に、本発明に係る練習装置で行われるスウィングの各段階を示す。
【００５４】
図１１のＡ、図１２のＡにおいて、図５、６に示す回転クラブ６０を使用するゴルファー１２０は、クラブ６０のローラ６６を輪２２上に停止した状態で、輪２２の中央にスタンスをとる。ゴルファーの足は、ターゲットラインと平行に一直線にされる。
【００５５】
図１１Ｂ、１２Ｂは、バックスウィング半分の位置を示す。図１１Ａ、１２Ａに示すポジションから図１１Ｂ、１２Ｂに示すポジションまでの動作に関して、クラブ６０のローラ６６は輪２２の表面４６上を回転する。図から分かるように、スウィングを始めるため、ゴルファーは肩と上体を回転させる。
【００５６】
図１１Ｃ、１２Ｃにおいて、ゴルファーはバックスウィングのトップに近づいている。肩と身体の回転が続くので、ゴルファーの前腕は回転させられることにより、図１２Ｃに示すように、ゴルファーの体重は右足に移る。また、ローラ６６はフィン４０の平表面４４上を動く。
【００５７】
図１１Ｄ、１２Ｄにおいて、ゴルファーはバックスウィングのトップに到達している。このポジションにおいて、ゴルファーの手首はレストポジションから９０°ヒンジ回転され、クラブ６０のローラ６６は、フィン４０の平表面４４上でフラットにされる。このポジションで、ゴルファーの上胸骨、クラブの柄、及びクラブの先端が全て、輪２２の表面と平行な平面内にある。これは、最適なスウィングプレーンに相当する。フィン４０の平表面４４により、ゴルファーの手首が、スウィング中、最適な平面内でヒンジ回転することは確実である。
【００５８】
図１１Ｅ、１２Ｅにおいて、ゴルファーはバックスウィングを開始し、体重を左足に移す。ローラは、フィン４０に沿って動き、輪の表面４６に再び組合わされる。
【００５９】
図１１Ｆ、１２Ｆは、インパクトポジションを示す。このように、クラブのスウィートスポット及びゴルファーの上胸骨は、最適な平面内にあるが、クラブ全体は平面内になく、クラブの柄は該平面の下にある。このことは、特に重要ではなく、クラブの柄の実際のポジションは個々のゴルファーのスウィングによる。クラブの回転の運動力により、プレーヤーをインパクトポジションを通って動かす。
【００６０】
図１１Ｇ、１２Ｇは、プレーヤーの体重が一層多く左足に移り、手及び上腕がそれぞれ回転し、クラブの回転運動力によって大きいアーチのフォロースルーポジションを示す。クラブ６０のローラ６６は、輪２２の表面４６に接触してなお維持される。
【００６１】
最後に、図１１Ｈ、１２Ｈは、ゴルファーが最大限のフォロースルーポジションの状態のスウィングの最後を示す。それは、いくつかの点で図１１Ｄ、１２Ｄのポジションを示す鏡である。このポジションにおいて、クラブ６０のローラ６６がフィン４０上に再びフラットに置かれることで、クラブヘッド、柄、及びゴルファーの上体が最適なスウィングプレーンにあるようにする。
【００６２】
使用時、ゴルファーは、図１１Ａ、１２Ａに示すレストポジションからフルスウィングまで、ゆっくりスウィングを行う。特に、ウォームアップの際、ゴルファーは、フルスウィングに向かって、輪２２の下半分を通ってゆっくりスウィングするだけでよい。特に、使用されるクラブ６０を通常のクラブよりも重くすると、この練習装置１０はゴルファーのスウィングを上達させるだけでなく、運動に役立つ。
【００６３】
上述の実施の形態は単に例として与えられ、本発明の範囲から逸脱することなく、様々に変形されることが望ましい。例えば、図５、９に示されるクラブの回転スリーブ６６は、輪表面４６との接触回転を考慮した適切な材料からなる。ゴムは単に最適な例の一つとして与えられ、他の材料でもよいことは当業者にとって明白である。
【００６４】
更に、図３、４で別部品として示されるフィン４４は、必ずしもその通りである必要はなく、例えば、輪２２と一体に形成してもよい。更に、輪自体は、金属以外の材料でもよく、例えば、プラスチックは、気軽に使用され、安価で適用できる点で望ましい。また、輪２２は断面円形の管である必要はなく、他の断面、例えば断面Ｄ形状でもよい。
【００６５】
輪は、明示された手段以外で、例えば対向側の各支持部によって、支持されてもよい。
【００６６】
更に、輪２２の傾斜角度を修正する油圧操作機構が開示したが、例えば、本練習装置の安価な変形として、この油圧操作機構は手動で操作され、又は電気モータのような他の手段でも可能である。
【００６７】
本発明は様々な領域に適用されることが予想される。例えば、ユーザがゲームをプレーする前に、又は練習用ボールを打つ前に、スウィングの練習をするゴルフクラブ及びドライビングレンジに設置することは非常に有用である。例えば、ユーザはゴルフのスウィングが上達する機会を得るだけでなく、本練習装置を使用して運動する健康クラブ内等に、該装置が設置できる。
【００６８】
本発明に係る練習装置に付属装置を設置可能なことは明らかであり、このような付属装置には、練習装置を使用する間ユーザが自分の動きを分析するビデオカメラ手段、ユーザが本練習装置の使用法の情報を得るためのオーディオ・ビジュアル手段、ユーザの身長、腕の長さ等に従い、輪がユーザに適切な角度に設定される情報を与えるセッティング・テーブル等がある。
【００６９】
このような変形はすべて、本発明の範囲内である。
【図面の簡単な説明】
【００７０】
【図１】アドレス時のゴルファーを示す図
【図２】バックスウィングのトップ位置のゴルファーを示す図
【図３】本発明に係るゴルフ練習装置の斜視図
【図４】図３に示すゴルフ練習装置の側面図
【図５】図３、４に示すゴルフ練習装置に使用される練習クラブを示す図
【図６】図５上線６−６に沿う断面図
【図７】図３、４のゴルフ練習装置に使用される練習クラブの第二の実施の形態を示す図
【図８】図７上線８−８に沿う断面図
【図９】図３、４のゴルフ練習装置に使用される練習クラブの第三の実施の形態を示す図
【図１０】図９に示す練習クラブの端面図
【図１１】本発明に係るゴルフ練習装置を使用した時の、正面から見たスイングの異なるステップを示す図
【図１２】側面から見た図１１と同じスイングのステップを示す図
【図１】
2007007441.tif 000003
【図２】
2007007441.tif 000004
【図３】
2007007441.tif 000005
【図４】
2007007441.tif 000006
【図５】
2007007441.tif 000007
【図６】
2007007441.tif 000008
【図７】
2007007441.tif 000009
【図８】
2007007441.tif 000010
【図９】
2007007441.tif 000011
【図１０】
2007007441.tif 000012
【図１１】
2007007441.tif 000013
【図１２】
2007007441.tif 000014